【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
真空プレナムと、
前記真空プレナム上に配置されたベルトであって、
媒体を搬送するように表面を形成する少なくとも１つの部材と、
前記真空プレナムが複数列の孔を介して空気を引き込むのを可能とするように前記少なくとも１つの部材を通って形成された前記複数列の孔と、
前記複数列の孔における第１の列の孔に形成された第１の複数のコピー間ギャップであって、前記第１の複数のコピー間ギャップにおける各コピー間ギャップが前記少なくとも１つの部材を通って形成された孔を含まず、前記第１の複数のコピー間ギャップが前記第１の列の孔に沿って第１の所定間隔で配置され、前記第１の所定間隔が、前記ベルトがプロセス方向に搬送する第１の所定サイズの媒体に対応する、第１の複数のコピー間ギャップと、を備えるベルトと、
前記真空プレナムと前記ベルトとの間に配置された第１のシャッタであって、
前記真空プレナムと前記第１のシャッタの上方に配置された前記ベルトの一部との間の空気流を防止する固体部材と、
前記固体部材を通って形成された第１の開口であって、前記ベルトにおける前記第１の列の孔と並べられ、前記真空プレナムが前記第１の列の孔を介して空気を引き込むのを可能とし且つ前記複数のコピー間ギャップにおける各コピー間ギャップが前記第１の開口上を移動するのにともない前記真空プレナムが前記第１の開口を介して空気を引き込むのを防止する第１の開口と、を備える第１のシャッタと、
前記ベルトを前記真空プレナム上でプロセス方向に移動させて前記ベルトが前記プロセス方向に複数の媒体を搬送するのを可能とするように構成された第１のアクチュエータとを備える、媒体搬送システム。
【請求項２】
前記ベルト及び前記第１のシャッタが、
前記複数列の孔における第２の列の孔に形成された第２の複数のコピー間ギャップであって、前記第２の複数のコピー間ギャップにおける各コピー間ギャップが前記少なくとも１つの部材を通って形成された孔を含まず、前記第２の複数のコピー間ギャップが前記第２の列の孔に沿って第２の所定間隔で配置され、前記第２の所定間隔が、前記ベルトがプロセス方向に搬送する第２の所定サイズの媒体に対応する、第２の複数のコピー間ギャップをさらに備え、
前記第１のシャッタが、前記第１の開口を前記第２の列の孔と並べ、前記真空プレナムが前記第２の列の孔を介して空気を引き込むのを可能とし且つ前記第２の複数のコピー間ギャップにおける各コピー間ギャップが前記第１の開口上を移動するのにともない前記真空プレナムが前記第１の開口を介して空気を引き込むのを防止するようにクロスプロセス方向に沿って移動するように構成されている、請求項１に記載の媒体搬送システム。
【請求項３】
前記第１のシャッタに動作可能に接続され、前記第１の所定サイズの媒体を使用する印刷ジョブ前に前記第１のシャッタにおける前記第１の開口を移動させて前記第１の開口を前記ベルトにおける前記第１の列の孔と並べ、且つ、前記第２の所定サイズの媒体を使用する他の印刷ジョブ前に前記第１のシャッタにおける前記第１の開口を移動させて前記第１の開口を前記ベルトにおける前記第２の列の孔と並べるように構成された第２のアクチュエータをさらに備える、請求項２に記載の媒体搬送システム。
【請求項４】
前記第１のシャッタにおける前記第１の開口が、前記第１の列の孔における前記第１の複数のコピー間ギャップにおける各コピー間ギャップのサイズ及び形状に対応するサイズ及び形状を有する、請求項１に記載の媒体搬送システム。
【請求項５】
前記ベルトが、
前記複数列の孔における第２の列の孔に形成された第２の複数のコピー間ギャップであって、前記第２の複数のコピー間ギャップにおける各コピー間ギャップが前記少なくとも１つの部材を通って形成された孔を含まず、前記第２の複数のコピー間ギャップが前記第２の列の孔に沿って前記第１の所定間隔で配置されている、第２の複数のコピー間ギャップをさらに備え、
前記第１のシャッタが、
前記固体部材を通って形成された第２の開口であって、前記第１の開口が前記ベルトにおける前記第１の列の孔と並べられ且つ前記第２の開口が前記ベルトにおける前記第２の列の孔と並べられ、前記真空プレナムが前記第１の列の孔及び前記第２の列の孔を介して空気を引き込むのを可能とし且つ前記第１の複数のコピー間ギャップにおける各コピー間ギャップが第１の開口上を移動して前記第２の複数のコピー間ギャップにおける各コピー間ギャップが前記第２の開口上を移動するのにともない前記真空プレナムが前記第１の開口又は前記第２の開口を介して空気を引き込むのを防止する第２の開口をさらに備える、請求項１に記載の媒体搬送システム。
【請求項６】
真空プレナムと、
前記真空プレナム上に配置されたベルトであって、
印刷媒体を搬送するように表面を形成する少なくとも１つの部材と、
前記真空プレナムが複数列の孔を介して空気を引き込むのを可能とするように前記少なくとも１つの部材を通って形成された前記複数列の孔と、
前記複数列の孔における第１の列の孔に形成された第１の複数のコピー間ギャップであって、前記第１の複数のコピー間ギャップにおける各コピー間ギャップが前記少なくとも１つの部材を通って形成された孔を含まず、前記第１の複数のコピー間ギャップが前記第１の列の孔に沿って第１の所定間隔で配置され、前記第１の所定間隔が、前記ベルトがプロセス方向に搬送する第１の所定サイズの印刷媒体に対応する、第１の複数のコピー間ギャップと、を備えるベルトと、
前記真空プレナムと前記ベルトとの間に配置された第１のシャッタであって、
前記真空プレナムと前記第１のシャッタの上方に配置された前記ベルトの一部との間の空気流を防止する固体部材と、
前記固体部材を通って形成された第１の開口であって、前記ベルトにおける前記第１の列の孔と並べられ、前記真空プレナムが前記第１の列の孔を介して空気を引き込むのを可能とし且つ前記複数のコピー間ギャップにおける各コピー間ギャップが前記第１の開口上を移動するのにともない前記真空プレナムが前記第１の開口を介して空気を引き込むのを防止する第１の開口と、を備える第１のシャッタと、
前記ベルトを前記真空プレナム上でプロセス方向に移動させて前記ベルトが前記プロセス方向に複数の印刷媒体を搬送するのを可能とするように構成された第１のアクチュエータとを備える、媒体搬送システムと、
前記第１のシャッタに近接する位置において前記ベルト上に配置された少なくとも１つの印刷ヘッドであって、前記印刷ヘッドが前記第１の複数のコピー間ギャップにおける第１のコピー間ギャップと第２のコピー間ギャップとの間において前記ベルト上に配置された印刷媒体の表面上にインク滴を吐出するように構成されており、前記印刷媒体の端縁が前記少なくとも１つの印刷ヘッドを通過するときに各コピー間ギャップが前記固体部材の前記第１の開口を被覆する印刷ヘッドを備える印刷領域とを備える、プリンタ。
【請求項７】
前記ベルト及び前記第１のシャッタが、前記複数列の孔における第２の列の孔に形成された第２の複数のコピー間ギャップであって、前記第２の複数のコピー間ギャップにおける各コピー間ギャップが前記少なくとも１つの部材を通って形成された孔を含まず、前記第２の複数のコピー間ギャップが前記第２の列の孔に沿って第２の所定間隔で配置され、前記第２の所定間隔が、前記ベルトがプロセス方向に搬送する第２の所定サイズの印刷媒体に対応する、第２の複数のコピー間ギャップをさらに備え、
前記第１のシャッタが、前記第１の開口を前記第２の列の孔と並べ、前記真空プレナムが前記第２の列の孔を介して空気を引き込むのを可能とし且つ前記第２の複数のコピー間ギャップにおける各コピー間ギャップが前記第１の開口上を移動するのにともない前記真空プレナムが前記第１の開口を介して空気を引き込むのを防止するようにクロスプロセス方向に沿って移動可能である、請求項６に記載のプリンタ。
【請求項８】
前記媒体搬送システムが、前記第１のシャッタに動作可能に接続され、前記第１の所定サイズの印刷媒体を使用する印刷ジョブ前に前記第１のシャッタにおける前記第１の開口を移動させて前記第１の開口を前記ベルトにおける前記第１の列の孔と並べ、且つ、前記第２の所定サイズの印刷媒体を使用する他の印刷ジョブ前に前記第１のシャッタにおける前記第１の開口を移動させて前記第１の開口を前記ベルトにおける前記第２の列の孔と並べるように構成された第２のアクチュエータをさらに備える、請求項７に記載のプリンタ。
【請求項９】
前記第１のシャッタにおける前記第１の開口が、前記第１の列の孔における前記第１の複数のコピー間ギャップにおける各コピー間ギャップのサイズ及び形状に対応するサイズ及び形状を有する、請求項６に記載のプリンタ。
【請求項１０】
前記ベルトが、
前記複数列の孔における第２の列の孔に形成された第２の複数のコピー間ギャップであって、前記第２の複数のコピー間ギャップにおける各コピー間ギャップが前記少なくとも１つの部材を通って形成された孔を含まず、前記第２の複数のコピー間ギャップが前記第２の列の孔に沿って前記第１の所定間隔で配置されている、第２の複数のコピー間ギャップをさらに備え、
前記第１のシャッタが、
前記固体部材を通って形成された第２の開口であって、前記第１の開口が前記ベルトにおける前記第１の列の孔と並べられ且つ前記第２の開口が前記ベルトにおける前記第２の列の孔と並べられ、前記真空プレナムが前記第１の列の孔及び前記第２の列の孔を介して空気を引き込むのを可能とし且つ前記第１の複数のコピー間ギャップにおける各コピー間ギャップが第１の開口上を移動し前記第２の複数のコピー間ギャップにおける各コピー間ギャップが前記第２の開口上を移動するのにともない前記真空プレナムが前記第１の開口又は前記第２の開口を介して空気を引き込むのを防止する第２の開口をさらに備える、請求項６に記載のプリンタ。
【請求項１１】
前記第１のシャッタが、前記印刷領域における前記少なくとも１つの印刷ヘッドの下に位置している、請求項６に記載のプリンタ。
【請求項１２】
前記第１のシャッタが、前記印刷領域の前記少なくとも１つの印刷ヘッドの前記プロセス方向における上流に位置している、請求項６に記載のプリンタ。
【請求項１３】
前記第１のシャッタが、前記印刷領域の前記少なくとも１つの印刷ヘッドの前記プロセス方向における下流に位置している、請求項６に記載のプリンタ。
【請求項１４】
前記媒体搬送システムが、前記真空プレナムと前記ベルトとの間に配置された第２のシャッタであって、前記印刷領域の前記少なくとも１つの印刷ヘッドの前記プロセス方向における上流に位置している第２のシャッタをさらに備え、
前記第２のシャッタは、
前記真空プレナムと前記第２のシャッタの上方に配置された前記ベルトの一部との間の空気流を防止する固体部材と、
前記固体部材を通って形成された第２の開口であって、前記ベルトにおける前記第１の列の孔と並べられ、前記真空プレナムが前記第１の列の孔を介して空気を引き込むのを可能とし且つ前記複数のコピー間ギャップにおける各コピー間ギャップが前記第２の開口上を移動するのにともない前記真空プレナムが前記第２の開口を介して空気を引き込むのを防止する第２の開口と、をさらに備える、請求項６に記載のプリンタ。